(57)【特許請求の範囲】
【請求項１】
床３８で下限を限定される開口部２を、煙、有害ガスあるいは汚染空気に応じて、迅速かつ確実に密封するための装置であって、
温度、化学物質あるいは放射線に耐性を有する可撓性材料であって、貫通しあるいは孔が開けられたときの引き裂かれを制限するために、強化されたカーテン２６と、
カーテン２６の左右の縁部のそれぞれに取り付けられかつこれに沿って延びる可撓性磁気ストリップ手段２８と、
カーテン２６に取り付けられ、展開した後に差圧に応じてカーテン２６の展開動を可能とする伸張可能なジョイント２５と、
開口部２の上限に近接して配置されたコンテナ６と、
当初はコンテナ６内に配置されて、展開の準備のためにカーテン２６が巻かれる端部リール２４とを備え、
この端部リール２４は開口部２を横切って上方及び下方に移動可能であり、端部リール２４は、下方に移動するときに、回転されて、開口部２に近接する位置で端部リール２４からカーテン２６を巻戻し、その後、上方に移動するときに、回転されてカーテン２６をこの端部リール２４の上に再度巻取り、開口部２を通過可能とし、更に、
端部リール２４に結合され、この端部リール２４の下方運動を制動し、端部リール２４が下方に移動するときに端部リール２４を１の方向に回転してカーテン２６を巻戻し、端部リール２４が上方に移動するときに端部リール２４を逆の回転方向に回転してカーテン２６を再度巻取る動力付き自動ドライブ手段１４と、
カーテン２６が床３８に近接する位置にあるときに、端部リール２４の下方移動及びカーテン２６の巻戻しを制限するためにドライブ手段１４を停止するリミットスイッチ１２と、
端部リール２４の上方移動及びこの端部リール２４へのカーテン２６の巻取りを制限するためにドライブ手段１４を停止する巻戻しスイッチ１１と、
カーテン２６が床３８に近接して位置するときに、カーテン２６と床３８との間の空気の漏洩を防止する可撓性コンテナ４０と、
開口部２の左右の側部のそれぞれに直接近接する壁部４に取り付けられ強磁性側部レール３４とを備え、
前記カーテン２６は、端部リール２４が下方に移動したときに端部リール２４から巻戻されてカーテン２６の各縁部に取り付けられた可撓性磁気ストリップ手段２８が、この強磁性側部レール３４の対応する一方に磁気的に取り付けられるようなサイズに形成され、更に、
強磁性側部レール３４のそれぞれの下端部の接合部で床３８に向けて配置された強磁性コーブ状基部３６を備え、カーテン２６が床３８に近接して配置されたときに、カーテン２６の各縁部に取り付けられた可撓性磁気ストリップ手段２８が、この強磁性のコーブ状基部３６の対応する位置に磁気的に取り付けられ、カーテン２６と強磁性のコーブ状基部３６との間の空気漏洩を妨げる、装置。
【請求項２】
カーテン２６は、温度、化学物質あるいは放射線に耐性を有する糸で強化される請求の範囲第１項に記載の装置。
【請求項３】
カーテン２６は、透明である請求の範囲第１項に記載の装置。
【請求項４】
伸張可能なジョイント２５は、カーテン２６と可撓性磁気ストリップ手段２８との間の位置でカーテン２６に取り付けられ、制御された展開を可能とする請求の範囲第１項に記載の装置。
【請求項５】
伸張可能なジョイント２５は、０．３インチ水柱圧の下で、開口部２の幅１フィート当たり１インチの制御された割合でカーテン２６を展開可能とするサイズである請求の範囲第４項に記載の装置。
【請求項６】
カーテン２６は、圧力下で展開したときに、開口部２の事実上の気密シールを維持する請求の範囲第５項に記載の装置。
【請求項７】
端部リール２４は、可撓性磁気ストリップ手段２８の転動径に対応するサイズに形成されて左右に配置されている請求の範囲第１項に記載の装置。
【請求項８】
左右の端部リール２４は、その間に延びる結合部材４２により離隔して保持され、左右の端部リール２４のそれぞれを可撓性磁気ストリップ手段２８の対応する１に整合している請求の範囲第７項に記載の装置。
【請求項９】
伸張可能なジョイント２５は、カーテン２６を圧力下の左右の端部リール２４間に展開可能とする請求の範囲第８項に記載の装置。
【請求項１０】
左右の端部リール２４は、それぞれ内向きに先細形であり、カーテン２６の対応する左右の縁部においてより大きな転動径を形成する請求の範囲第７項に記載の装置。
【請求項１１】
ドライブ手段１４は、ドライブプーリ１８と、端部リール２４に延びかつ作動係合する少なくとも１の接続コード２０とを備える請求の範囲第１項に記載の装置。
【請求項１２】
端部リール２４は、リールプーリ２２を備え、接続コード２０がこのリールプーリ２２に作動係合する請求の範囲第１１項に記載の装置。
【請求項１３】
端部リール２４は、更に少なくとも１の端部リールを備え、この端部リールの外側端部にリールプーリ２２が取り付けられる請求の範囲第１２項に記載の装置。
【請求項１４】
端部リール２４に対するリールプーリ２２の取付具は、その中心軸の回りに調整可能である請求の範囲第１３項に記載の装置。
【請求項１５】
可撓性磁気ストリップ手段２８は、ほぼ均等に間隙を配置した強磁性セグメント２７を備える請求の範囲第１項に記載の装置。
【請求項１６】
カーテン２６は、可撓性磁気ストリップ手段２８の中立軸と整合した中立軸を有する請求の範囲第１項に記載の装置。
【請求項１７】
ドライブ手段１４は、ギア機構に取り付けられたモータを備える請求の範囲第１項に記載の装置。
【請求項１８】
ドライブ手段１４は、更にギア機構のドライブシャフト１６に取り付けられたプーリ１８を備える請求の範囲第１７項に記載の装置。
【請求項１９】
更に、前記プーリ１８に取り付けられ、端部リール２４に延びかつ作動係合する接続コード２０を備える請求の範囲第１８項に記載の装置。
【請求項２０】
モータ及びギヤ機構は、端部リール２４上のカーテン２６を１０秒よりも短い時間で巻戻し及び再巻取りする請求の範囲第１７項に記載の装置。
【請求項２１】
モータは、緊急エネルギ源１０に接続される請求の範囲第１７項に記載の装置。
【請求項２２】
モータは、電気モータであり、緊急エネルギ源１０は、定電流浮動充電形式のバッテリチャージャを備えた低電圧バッテリである請求の範囲第２１項に記載の装置。
【請求項２３】
リミットスイッチ１２及び巻戻しスイッチ１１は、遠隔位置に配置される請求の範囲第１７項に記載の装置。
【請求項２４】
ドライブ手段１４は、端部リール２４に延びかつこれに作動係合する接続コード２０を備え、リミットスイッチ１２は、この接続コード２０の張力に感応する請求の範囲第１項に記載の装置。
【請求項２５】
更にリレーを備え、ドライブ手段１４は、更にモータを備え、このモータの回転は、リミットスイッチ１２がリレーを閉じたときに停止され、このリレーは、閉じることにより電気モータの残りのエネルギ界磁が短絡されるように、接続される請求の範囲第２４項に記載の装置。
【請求項２６】
リミットスイッチ１２は、ドライブ手段１４の作動を制御するドライブリミットスイッチを備え、巻戻しスイッチ１１は、ドライブリミットスイッチが作動されているときに、端部リール２４上のカーテン２６の再巻取りを防止するように互いに連結された２つのリレーを備える請求の範囲第１項に記載の装置。
【請求項２７】
可撓性コンテナ４０は、温度、化学物質あるいは放射線に対して耐性を有する材料４３で形成される請求の範囲第１項に記載の装置。
【請求項２８】
可撓性コンテナ４０は、温度、化学物質あるいは放射線に対して耐性を有する自己水平化材料４３を内包する請求の範囲第２７項に記載の装置。
【請求項２９】
強磁性側部レール３４は、幅２インチ、各縁部に０．５インチの返し(return)を有する鉄を含む材料で形成された一対のサイドレールを備える請求の範囲第１
項に記載の装置。
【請求項３０】
強磁性側部レール３４は、それぞれサブフレーム部材に取付けられる請求の範囲第２９項に記載の装置。
【請求項３１】
サブフレーム部材は、開口部２が形成される壁部４に、この開口部２に近接して形成される請求の範囲第３０項に記載の装置。
【請求項３２】
端部リール２４は、左右の端部リール部材を備え、強磁性のコーブ状基部３６は、左右の端部リール部材の対応する１の径のサイズに形成された請求の範囲第１項に記載の装置。
【請求項３３】
強磁性側部レール３４は、鉄を含む金属製の左右のサイドレールを備え、左右の強磁性のコーブ状基部３６は、左右のサイドレール３４の対応する１と垂直方向に整合して、床３８に取付けられる請求の範囲第３２項に記載の装置。
【請求項３４】
左右の強磁性のコーブ状基部３６は、左右のサイドレール３４の対応する１に取付けられる請求の範囲第３３項に記載の装置。
【請求項３５】
コンテナ６は、２０ゲージの金属を厚さ１インチの石膏で覆った壁部を有する請求の範囲第１項に記載の装置。
【請求項３６】
コンテナ６は、カーテン２６を展開する前に、永久磁石のラッチ７により閉状態に保持されるヒンジ止めされた底部フラップ９を備える請求の範囲第３５項に記載の装置。
【請求項３７】
更に、強磁性側部レール３４に対してカーテン２６を水平化するため、コンテナ６にカーテン２６を調整可能に取り付ける水平化バー３２を備える請求の範囲第１項に記載の装置。
【請求項３８】
水平化バー３２は、その中央部に孔を有し、コンテナ６に心だしされたボルト３１により、コンテナに取付けられる請求の範囲第３７項に記載の装置。
【請求項３９】
煙、有害ガスあるいは汚染空気に応じて、床３８で下限を規定された開口部２を迅速かつ確実に密封するための装置であって、
温度、化学物質あるいは放射線に耐性を有する可撓性材料のカーテン２６と、
カーテンの左右の縁部のそれぞれに取付けられかつこれに沿って延びる可撓性磁気ストリップ手段２８と、
展開するためにカーテン２６が巻付けられる端部リール２４とを備え、この端部リール２４は、開口部２を横切って下方及び上方に移動可能であり、この端部リール２４は、下方に移動したときに、回転されて、開口部２に近接する位置で端部リール２４からカーテン２６を巻戻し、その後、上方に移動したときに、回転されてカーテン２６をこの端部リール２４の上に再度巻付け、開口部２を通過可能とし、更に、
端部リール２４に結合され、この端部リール２４の下方運動を制動し、端部リール２４が下方に移動したときに端部リール２４を一方向に回転してカーテン２６を巻戻し、端部リール２４が上方に移動したときに端部リール２４を逆の回転方向に回転してカーテン２６を端部リール２４上に再度巻付ける動力付き自動ドライブ手段１４と、
カーテン２６が床３８に近接する位置にあるときに、端部リール２４の下方移動及びカーテン２６の巻戻しを制限するためにドライブ手段１４を停止するリミットスイッチ１２と、
端部リール２４の上方移動及びこの端部リール２４へのカーテンの再巻取りを制限するためにドライブ手段１４を停止する巻戻しスイッチ１１と、
開口部２の左右の側部のそれぞれに直接近接する壁部４に取り付けられた強磁性側部レール３４と、
カーテン２６が床３８に近接して位置するときに、カーテン２６と床３８との間の空気の漏洩を妨げる可撓性コンテナ４０を備え、
前記カーテン２６は、端部リール２４が下方に移動したときに端部リール２４から巻戻されるようなサイズに形成され、カーテン２６の各縁部に取り付けられた前記可撓性磁気ストリップ手段２８は、これが対応する強磁性側部レール３４に磁気的に取り付けられる、装置。
【請求項４０】
煙、有害ガスあるいは汚染空気に応じて、床３８で下限を規定された開口部２を迅速かつ確実に密封するための装置であって、
温度、化学物質あるいは放射線に耐性を有する可撓性材料のカーテン２６と、
カーテンの左右の縁部のそれぞれに取付けられかつこれに沿って延びる可撓性磁気ストリップ手段２８と、
展開するためにカーテン２６が巻付けられる端部リール２４とを備え、この端部リール２４は、開口部２を横切って下方及び上方に移動可能であり、この端部リール２４は、下方に移動したときに、回転されて、開口部２に近接する位置で端部リール２４からカーテン２６を巻戻し、その後、上方に移動したときに、回転されてカーテン２６をこの端部リール２４の上に再度巻付け、開口部２を通過可能とし、更に、
端部リール２４に結合され、この端部リール２４の下方運動を制動し、端部リール２４が下方に移動したときに端部リール２４を一方向に回転してカーテン２６を巻戻し、端部リール２４が上方に移動したときに端部リール２４を逆の回転方向に回転してカーテン２６を端部リール２４上に再度巻付ける動力付き自動ドライブ手段１４と、
カーテン２６が床３８に近接する位置にあるときに、端部リール２４の下方移動及びカーテン２６の巻戻しを制限するためにドライブ手段１４を停止するリミットスイッチ１２と、
端部リール２４の上方移動及びこの端部リール２４へのカーテンの再巻取りを制限するためにドライブ手段１４を停止する巻戻しスイッチ１１と、
開口部２の左右の側部のそれぞれに直接近接する壁部４に取り付けられた強磁性側部レール３４と、
床に向けて配置された強磁性のコーブ状基部３６を備え、
前記カーテン２６は、端部リール２４が下方に移動したときに端部リール２４から巻戻されるようなサイズに形成され、カーテン２６の各縁部に取り付けられた前記可撓性磁気ストリップ手段２８は、これが対応する強磁性側部レール３４に磁気的に取り付けられ、
カーテン２６が床３８に近接して配置されたときに、カーテン２６の各縁部に取り付けられた可撓性磁気ストリップ手段２８は、この強磁性コーブ状基部３６の対応する位置に磁気的に取り付けられ、カーテン２６と強磁性のコーブ状基部３６との間の空気漏洩を防止する、装置。装置。
【発明の詳細な説明】
関連出願のクロスレファレンス
本願は、１９９１年８月１２日付けで出願され、現在米国特許第５，１９５，５９４号として発行された米国特許出願第０７／７４４，０７９号の一部継続出願である。
技術分野
本発明は、一般的には、煙、有害ガスあるいは汚染された空気に晒される危険から人を保護するための安全装置に関する。特に、ここに記載の安全装置は、危険なあるいは汚染された空気の状態に応じ、所定の開口部を確実に密封すると共に、必要になった場合には、密封領域を通じて出入りを可能とする。
発明の背景
特にオフィスビス、ホテル、製造工場及び鉱山等の種々の建造物内に発生する可能性のある煙、有害ガスあるいは汚染空気に対して人を保護するため、種々の形式のシールド装置が長年にわたって開発されてきており、これらの装置は、煙、有害ガスあるいは汚染空気が通りやすい所定の開口部を密封するように作用する。周知のように、煙、有害ガスあるいは汚染空気により、多くの人が死に、また多くの財産が損失しており、このため、煙、有害ガスあるいは汚染空気が通りやすい領域の近部領域を迅速に密封するための種々の試みが提案されている。
所定の開口部を密封するための特許された従来の試みの例が、
ミッチェルに対して発行された米国特許第３，７６６，９５８号、
イソベに対して発行された米国特許第３，９６０，２１６号、
ハットリに対して発行された米国特許第４，０７７，４７４号、
クラエンハンマ他に対して発行された米国特許第４，０７９，７７２号、
ジェンキンスに対して発行された米国特許第４，３９８，３７１号、
アレンに対して発行された米国特許第５，１９５，５９４号
に記載されており、この全ては、参考までに記載するものである。
煙、有害ガスあるいは危険な状態の空気を遮断するために開口部を密封する他の従来の試みには、水平及び垂直に配置される金属及びプラスチックのスクリーンを含む。従来技術による密封の試みのこれらの後者の形式のものは、作用的に多くの不都合な点を有し、気密シールを形成するためには効果がないことが判明した。更に、設置後に、保安員がこれらの構成の多くを変更することが可能であり、これは緊急時の有効性を改変することになる。上述の特許技術及び後者の従来技術による密封の試みに属する不都合な点の全てではないとしても、その多くは、本願発明者による係属中の米国特許出願、１９９１年８月１４日付け、「煙あるいは火に応じて所定の出口及び入口通路を迅速かつ確実に密封するための装置及び方法」と題する出願番号第０７／７４４，０７９号に、開示されかつ請求された新規かつ有益な改良により克服されるものであり、これを参考までにここに記載する。
発明の概要
本願は、更に新規で、当該技術及び本願出願人の係属中の米国特許出願を越える有益な改良点を示す。簡潔に要約すると、本発明の目的、対象及び関連する利点、及び、新規な特徴は、煙、有害ガスあるいは汚染空気に応じて選択された開口部を密封するための装置を含む新規かつ改善された方法及び装置により達成されるもので、これは、２つの側部に沿って可撓性の磁気サイドストリップを有する巻取り式で可撓性かつ透明の強化カーテンを備え、該カーテンは、強磁性のサイドレールあるいは強磁性のドアフレームの近部に垂れ下がりかつ迅速に付着し、この中でカーテンが所定の範囲に展開し、更に、このカーテンは両端にプーリが取り付けられたリール上に巻かれ、このリールの回りにはコードが巻かれ、このコードの自由端は、ドライブ手段に結合されたプーリに取り付けられる。
完全に展開したときに、本発明では、密封すべき開口部における前後０．３インチ（約０．８cm）水柱圧の差圧で、５０°Ｆから４５０°Ｆ（約１０℃から２３３℃）の間の範囲の温度に最低３０分間耐えると共に、１平方フィート（約０．１平方メートル）の開口当たり１立方フィート（約０．０３立方メートル）よりも少ない空気の漏洩割合を維持し、幅１フィート（約３０cm）当たり１インチ（約２．５cm）の制御された割合で展開し、１０秒よりも少ない時間で配置される。本発明は、緊密取付の煙及び通風制御システムの規定に合うガスケットシステムとして、１９９１年版の統一建築法（Uniform Building Code）第３３０５（ｈ）章に適合し、１９９０年版「保険業者実験対象１７８４ドア組立体の空気漏洩試験（Underwriters Laboratory Subject 1784 Air Leagage Test of Door Assembly）」に概説されている手続にしたがって試験したときに、煙及び通風制御組立体に関する１９８９年版の国家防火局基準第１０５項における煙制御ドア組立体の設置（National Fire Protection Agency Standard No.105 Installation of Smoke-Control Door Assemblies）に適合する。統一建築法基準第４２．１項にしたがって試験したときに、このフィルムは、延焼指数を０、煙の広がり速度を０とする。
図面及び好ましい実施例の簡単な説明
第１図を参照すると、壁部４に配置されて、煙、有害ガスあるいは汚染空気の通過を密閉することが望まれる開口部２を示す。コンテナ６は、ヒンジ止めされた底部フラップ９に磁気ラッチ７を取り付けられ、開口部２の直ぐ上側でこの開口部２の中央に装着される。受金具５がヒンジ付きドアに取り付けられ、端部リール２４と整合されている。煙、有害ガスあるいは汚染空気に感応する遠隔スイッチ８が補助エネルギ源１０に接続されており、この補助エネルギ源は、接続コード２０の張力に感応するリミットスイッチ１２と、ドライブ手段１４に接続された遠隔巻戻しスイッチ１１とに接続される。ドライブ手段１４のシャフト１６は、第１のプーリ１８に接続され、この第１のプーリの回りに接続コード２０が巻かれている。接続コード２０の反対側の端部は、端部リール２４に取り付けられた第２のプーリ２２に結合されかつこの回りに巻かれている。強化カーテン２６の中立軸は、カーテン２６の各側部に沿う可撓性磁気ストリップ２８の中立軸に整合し、伸長可能なジョイント２５を取り付けられかつ端部リール２４の回りに巻かれる。一連の強磁性体セグメント２７が可撓性磁気ストリップ２８に取け付けられ、間隔３０を形成することができる。アライメントバー３２がカーテン２６及び可撓性磁気ストリップ２８の頂部に取り付けられ、アライメントバーの中央部には、コンテナ６に取り付けられたボルト３１に整合しかつ結合される孔２９を有する。このアライメントバー３２は、可撓性磁気ストリップ２８を、開口２の両側に配置される強磁性側部レール３４の直ぐ上へ位置合わせする。強磁性のコーブ状基部３６が強磁性サイドレール３４に取り付けられており、この基部は、カーテン２６が床３８に達したときに、端部リール２４の径に嵌合するサイズに形成されている。
図２を参照すると、端部リール２４が、床３８に達する前の状態で示されている。強磁性のコーブ状基部３６は、滑らかな面移行部３５を形成する強磁性側部レール３４との関連で示してある。接続コード２０が巻付けられる第２のプーリ２２は、端部リール２４のスロット孔３３を貫通するボルトで、端部リール２３に取り付けられる。
第３図を参照すると、強化カーテン２６は、床３８と、スペースバー４２の回りに巻かれた自己水平化材料４３を充填され可撓性コンテナ４０との間を包んでいる。端部リール２４は、参照するために背景として示してある。
図４を参照すると、端部リール２４のテーパ部４４がスペースバー４２に結合した状態で示してある。
カーテンは、本質的に、２００デニールのノメックス系（nomex yarn）を互いに１／４インチ（約６．４mm）離間させて強化した２ミル（約０．０５mm）の厚さのポリイミドフィルムから形成される。補強用充填糸は、フィルムに取り付け、接着されてない補強用たて糸に重ねることが必要である。糸とフィルムとの間の結合は、少なくとも１インチ当たり２ポンド（約０．９kg）とすることが必要である。フィルムはその長さに沿い、最低で１．４ＭＧＯeの力を形成するニトリルゴムのバインダー内に励磁されたフェライトを配置した、幅２．５インチ（約６．４cm）、厚さ０．１２５インチ（約０．３１８cm）のＰＭ１４多極可撓性磁石に結合される。この多数の極は長さ方向に沿い、磁石の幅方向に垂直に、磁石の強面（strong face）が見えるように配置される。フィルムと磁石とはその中立軸に対して整合され、幅０．５インチ（約１．３cm）、厚さ０．１２５インチ（約３．２mm）の低弾性シリコンの連続した結合部で結合されている。０．００２インチ（０．０５mm）の合成エラストマー製で、３５０°Ｆ（約１７７℃）より上で熱硬化結合（thermoset bond）を形成する２段積層接着の１／８インチ（約３．２mm）の２つのストリップが、可撓性磁石の強面の長さに沿う３点で連続的に取り付けられている。長さ５／８インチ（約１．５９cm）、幅２．２５インチ（約５．７２cm）、厚さ０．００４インチ（約０．１mm）の寸法を有する完全に硬質で冷間圧延された鋼製ストリップが、可撓性磁石の弱面（weak face）に沿う中心上で１１／１６インチ（約１．７５cm）離隔し、０．００５インチ（約０．１３mm）の厚さのアクリル移行性接着剤（acylic transfer adhesive）で取り付けられる。
作動
煙、有害ガスあるいは汚染空気が、開口部２の近部で検出されると、遠隔スイッチ８の電気コンタクトが閉じ、駆動手段１４が作動されて第１のプーリ１８を回転し、制御された量だけ接続コード２０を解放し、次いで、端部リール２４の各端部に配置された第２のプーリ２２を巻戻して透明の強化カーテン２６を展開し、可撓性磁気縁部ストリップ２８を強磁性サイドレール３４と整合させ、可撓性磁気ストリップ２８を強磁性レール３４に迅速に取り付ける。強化カーテン２６の巻戻しによる下方移動は、磁気ドアラッチ７の保持力に勝り、コンテナ６の底部フラップ９を開き、強化カーテン２６の巻戻しを可能とする。接続コード２０の張力に感応するリミットスイッチ１２は、カーテンが完全に展開されて接続コード２０が弛んだときに、直ちに開路してドライブ手段１４へのパワー供給を停止し、直ちにモータコイルに残るエネルギを短絡する。強化カーテン２６が床３８で完全に展開されると、端部リール２４の径に対応したサイズでかつ強磁性レール３４と整合して床３８に取り付けられた強磁性のコーブ状基部３６が、磁気縁部ストリップ２８をこのコーブ状基部３６に引きつけるようになる。強化カーテン２６が床３８に達すると、部分的に自己水平化材料４３を充填した可撓性コンテナ４０が、強化カーテン２６の一部を床３８上に押圧する。カーテン２６が圧力で広がると、強化カーテン２６と可撓性磁気縁部ストリップ２８との間の接続部が所定量伸びて、伸長量を制限し、床３８における密封性を損ないあるいは端部リール２４を強磁性レール３４から離隔する方向に押圧することなく、強化カーテン２６が可撓性コンテナ４０の下側でスリップする。
この装置は、遠隔位置で電気コンタクト１１を閉じ、ドライブ手段１４を作動して、第１プーリ１８を反対方向に回転させ、第２のプーリ２２から第１のプーリ１８上に接続コード２０を巻き、コンテナ６内に強化カーテン２６を巻上げ、端部リール２４が底部フラップ９に装着された受金具５に当たったときに底部フラップ９を閉じ、巻取りコンタクト１１を開いて、この装置を再度展開可能とする。
本発明の精神及び範囲から離れることなく、上述の実施例について種々の変更が可能である。例えば、本発明は特定の形式のドライブ手段を使用することに限定されるものではなく、歯車モータに対する電気パルスを制御し、可撓性磁気ストリップの磁力を変え、可撓性磁気ストリップに取付けられる磁気縁部ストリップの厚さあるいは形状を変え、液圧クラッチ、歯車付きクラッチ、摩擦クラッチ、機械的な移動システムあるいは流体移動システムを用いることにより、ラインの解除速度を制御することもできる。
ラインを巻くことの制御は、プーリの使用に制限されるものではなく、可撓性磁気ストリップと強磁性フレームとの間にラインを巻付けるようにしてもよい。
装置の均一な巻取りを可能とする方法の提供は、平坦形状の接続コードを使用することに制限されず、溝付きスプール等に整合されかつ包含される丸コードを含むことも可能である。
装置の均一な巻取りを可能とする方法の提供は、フィルム及び可撓性磁気ストリップをそれぞれの中立軸に沿って整合させることに制限されず、フィルム及び可撓性磁気ストリップを高力接着剤等で取付けることを含むことも可能である。
カーテンを強化することは、フィルム上の強化材の間隔、強化材の形式、あるいは、強化材をフィルムに取付ける接着剤で制限されない。
圧力の下で所定の速度でフィルムを展開可能とすることは、フィルムと可撓性磁気ストリップとの間を結合することに制限されず、フィルムを折り曲げ、あるいは、フィルムあるいは可撓性磁気ストリップ内に設けてもよい。
圧力の下でフィルムを展開可能とすると共に気密シールを維持することは、スペースバーに結合された端部リールを用いることに制限されず、カーテンの底部でフィルムを折り曲げ、展開結合部等でフィルムを端部リールに取り付けることを含むことも可能である。
端部リールの径をサイジングし、巻戻し及び再巻取りするときに可撓性磁石の圧迫を防止することは、４インチ（約１０cm）径のシリンダを使用することに制限されず、他の形状の端部リール及び他の磁気バインダ等を含むことが可能である。
カーテンを配備する時間は１０秒に制限するものではなく、より短い時間あるいはより長い時間とすることも可能である。
強磁性レールの幅は２インチ（約５cm）の幅に制限されず、適宜の幅とすることもできる。
強磁性レールはレールを追加することに制限されず、強磁性ドアフレーム等とすることも可能である。
遠隔領域から装置を制御することあるいは複数のカーテンを配備することは、直接結合のワイヤシステムに制限されず、適宜の信号方法とすることができる。
装置に、信頼できるパワーを設けることは、低電圧バッテリ及び充電器に制限されず、他の適宜のエネルギ源とすることが可能である。
カーテンが完全に配備されたときに、強磁性レールと端部リールとの間の領域を確実に密封することは、シリンダの径に対応したサイズの強磁性コーブ状基部を用いることに制限されず、可撓性磁気ストリップ等に取り付けられる圧縮可能な材料を用いた三角形状の端部リールとすることも可能である。
カーテンが完全に配備されたときに、フィルムと床との間の領域を確実に密封することは、自己水平化材料を充填されたコンテナを用いることに制限されず、圧縮性材料あるいは半径方向の成形スペースバー等を含むこともできる。
接続コードを一定の張力とすることは、電気モータのエネルギ界磁を短絡してモータの回転を瞬間的に停止させるために、リレーを作動するリミットスイッチを用いることに制限されず、ウェイトを用いてもよく、このウェイトは所定長ライン中央部のコンテナに結合されたラインに懸垂され、更に、停止するときにモータに対してパルス状にあるいはタイミングを合わせた逆電流を供給するブレーキシステムを用いてモータを正確に停止してもよい。
リールを所定距離にわたって確実に上昇及び下降することは、リミットスイッチを使用することに制限されず、距離検出機構、展開を調整するポテンショメータ、接続コードの特定のポイントに感応する磁気リードスイッチ、距離を検出する光学的読み取り装置、接続コードの移動距離を測定する機械カウンタ、プーリの回転を測定するための機械カウンタ、あるいは、モータの負荷に感応する電圧スイッチなどを含んでもよい。
本発明は、耐火面を装着したコンテナに制限されるものではなく、開口部の上側の壁部あるいは天井内に凹設し、開口部の上側に耐火凹部領域を形成し、ドア等の上側のトランザム形式に装備するコンテナを含むことも可能である。
可撓性磁石の長手方向に沿って取り付けられる強磁性セグメント２７の転動径の相違に起因する座屈を制御することは、強磁性セグメント間に間隔を設けることに制限されず、他の接着剤、あるいは、無方向性可撓性磁気ストリップ（non-directional flexible magnetic strips）を含んでもよい。
垂直状態にカーテンを装着することは、カーテンを水平化バーに取り付けることに制限されず、カーテンの頂部をコンテナに固定すること等を含んでもよい。ヒンジ付きコンテナのドアに受動ラッチを設けることは、磁気ドアラッチを使用することに制限されず、機械的なラッチあるいはばねヒンジ等を含んでもよい。
したがって、当業者であれば、添付の請求の範囲に記載の範囲から逸脱することなく、上記及び他の特定していない構造及び作動上の変更を行うことが可能であることが理解される。
【図１】
0003697262.tif 000002
【図２】
0003697262.tif 000003
【図３】
0003697262.tif 000004
【図４】
0003697262.tif 000005